(57)【要約】【課題】ユーザニーズに沿う送信済みデータの処理を、煩雑な手間を要することなく適切な手順で遂行することを通じて、ユーザの利便性向上に寄与可能なデータ通信装置を得る。【解決手段】本発明実施例に係るデータ通信装置では、実行シナリオ検索部７７は、所要の宛先へのデータ送信が遂行される毎に、当該宛先に係る宛先識別情報と、実行シナリオ登録部７６の登録内容とに基づいて、当該宛先に係る実行シナリオを検索する。実行シナリオ遂行制御部７９は、前記宛先へのデータ送信が終了した後に、当該送信済みデータの処理を、実行シナリオ検索部７７で抽出された当該宛先に係る実行シナリオに従う手順で遂行させる制御を行う。【選択図】  図３
2010199766.tif 000002
【特許請求の範囲】
【請求項１】
送信済みデータの処理手順に係る実行シナリオが、複数の各宛先識別情報毎に関連付けて登録される実行シナリオ登録部と、
所要の宛先へのデータ送信が遂行される毎に、当該宛先に係る宛先識別情報と、前記実行シナリオ登録部の登録内容とに基づいて、当該宛先に係る実行シナリオを検索する実行シナリオ検索部と、
前記宛先へのデータ送信が終了した後に、当該送信済みデータの処理を、前記実行シナリオ検索部で抽出された当該宛先に係る実行シナリオに従う手順で遂行させる制御を行う実行シナリオ遂行制御部と、
を備えたことを特徴とするデータ通信装置。
【請求項２】
請求項１記載のデータ通信装置であって、
前記実行シナリオ検索部は、前記宛先に係る宛先識別情報と、前記実行シナリオ登録部に登録されている宛先識別情報とを照合し、当該両者の一部又は全部が一致するか否かに基づいて、当該宛先に係る実行シナリオを検索する、
ことを特徴とするデータ通信装置。
【請求項３】
請求項１又は２に記載のデータ通信装置であって、
前記実行シナリオ登録部では、データ送信時における前記宛先識別情報の設定操作に併せて、当該宛先に係る実行シナリオが設定登録される、
ことを特徴とするデータ通信装置。
【発明の詳細な説明】
【技術分野】
【０００１】
本発明は、例えばファクシミリ送受信等のデータ通信機能を有するデータ通信装置に係り、特に、ユーザニーズに沿う送信済みデータの処理を、煩雑な手間を要することなく適切な手順で遂行することを通じて、ユーザの利便性向上に寄与するデータ通信装置に関する。
【背景技術】
【０００２】
従来、例えばファクシミリ送受信等のデータ通信機能を有するデータ通信装置では、ユーザの多彩なニーズに応えるために、多機能化が進展してきている。
【０００３】
こうした多機能化の一例として、本願出願人は、読み取り部によって原稿から画像を読み取って生成した画像データを他のファクシミリ装置に送信したときに、その画像データを送信先の電話番号と共に、コンピュータネットワーク上のパーソナルコンピュータに送信して、パーソナルコンピュータのハードディスクに、ファクシミリ装置から受信した画像データを、送信先ごとに分類して記憶させるように制御するファクシミリ装置を提案している（例えば特許文献１参照）。
【０００４】
特許文献１に係る技術によれば、データ送信後の画像データを他の装置に送信して指定された場所に記憶させる制御を行うことにより、データ送信後に画像原稿を自機に保存する必要がなく、送信済み画像データの管理を容易にすることができる。
【０００５】
ところで、データ送信処理後の送信済みデータの処理に関しては、単に保存するだけではなく、送信済みデータを保存後にユーザの控えとして印刷出力させたり、又は所定の宛先に転送させたい、といった要請を生じるケースがある。また、これとは逆に、保存及び印刷出力のいずれも要しないケースもある。
【０００６】
しかしながら、特許文献１に係る送信済みデータ保存機能では、上記のようなユーザニーズにきめ細かく応えることができない。すなわち、ユーザニーズに沿う送信済みデータの処理を実現するには、その設定に係る操作の手間を別途要し、ユーザの利便性向上の観点から改良の余地があった。
【先行技術文献】
【特許文献】
【０００７】
【特許文献１】特開２００４−１５３４９５号公報
【発明の概要】
【発明が解決しようとする課題】
【０００８】
解決しようとする問題点は、従来技術に係る送信済みデータ保存機能では、ユーザニーズに沿う送信済みデータの処理を実現するには、その設定に係る操作の手間を別途要し、ユーザの利便性向上の観点から改良の余地があった点である。
【課題を解決するための手段】
【０００９】
本発明は、ユーザニーズに沿う送信済みデータの処理を、煩雑な手間を要することなく適切な手順で遂行することを通じて、ユーザの利便性向上に寄与可能なデータ通信装置の提供を目的として、送信済みデータの処理手順に係る実行シナリオが、複数の各宛先識別情報毎に関連付けて登録される実行シナリオ登録部と、所要の宛先へのデータ送信が遂行される毎に、当該宛先に係る宛先識別情報と、前記実行シナリオ登録部の登録内容とに基づいて、当該宛先に係る実行シナリオを検索する実行シナリオ検索部と、前記宛先へのデータ送信が終了した後に、当該送信済みデータの処理を、前記実行シナリオ検索部で抽出された当該宛先に係る実行シナリオに従う手順で遂行させる制御を行う実行シナリオ遂行制御部と、を備えたことを最も主要な特徴とする。
【発明の効果】
【００１０】
本発明に係るデータ通信装置では、実行シナリオ検索部は、所要の宛先へのデータ送信が遂行される毎に、当該宛先に係る宛先識別情報と、前記実行シナリオ登録部の登録内容とに基づいて、当該宛先に係る実行シナリオを検索する。実行シナリオ遂行制御部は、前記宛先へのデータ送信が終了した後に、当該送信済みデータの処理を、前記実行シナリオ検索部で抽出された当該宛先に係る実行シナリオに従う手順で遂行させる制御を行う。従って、ユーザニーズに沿う送信済みデータの処理を、煩雑な手間を要することなく適切な手順で遂行することを通じて、ユーザの利便性向上に寄与可能なデータ通信装置を得ることができる。
【図面の簡単な説明】
【００１１】
【図１】本発明実施例に係るデータ通信装置が搭載されたデジタル複合機周辺を示すブロック構成図である。
【図２】同デジタル複合機における操作パネル部の外観図である。
【図３】本発明実施例に係るデータ通信装置の動作フローチャート図である。
【図４】ある宛先に係る実行シナリオを登録する際の手順例を示す説明図である。
【発明を実施するための形態】
【００１２】
ユーザニーズに沿う送信済みデータの処理を、煩雑な手間を要することなく適切な手順で遂行することを通じて、ユーザの利便性向上に寄与可能なデータ通信装置を得るといった目的を、所要の宛先へのデータ送信が終了した後に、当該送信済みデータの処理を、実行シナリオ検索部で抽出された当該宛先に係る実行シナリオに従う手順で遂行させる制御を行う実行シナリオ遂行制御部によって実現した。
【実施例】
【００１３】
以下、本発明に係るデータ通信装置について、図面を参照しつつ詳細に説明する。なお、以下において、本発明実施例に係るデータ通信装置の一例として、同装置を、ファクシミリ、コピー、スキャナ、データ通信、及びプリンタを含む諸機能を有するデジタル複合機に組み込み適用した例をあげて説明してゆく。
【００１４】
［データ通信装置が搭載されたデジタル複合機］
図１は、本発明実施例に係るデータ通信装置が搭載されたデジタル複合機周辺を示すブロック構成図、図２は、同デジタル複合機における操作パネル部の外観図である。
【００１５】
本発明実施例に係るデジタル複合機１０は、自局と相手局間におけるデータ通信機能を有する。すなわち、本機１０は、ファクシミリ通信ジョブ（インターネットファクシミリ通信を含む）を初めとして、コピージョブ、印刷ジョブ、又はネットワーク送信（電子メール送信やＦＴＰデータ送信等）ジョブを含む諸機能が利用可能であり、マイクロコンピュータ及び専用のハードウェア回路等から構成される主制御部１１によって制御される。
【００１６】
この主制御部１１に接続され諸機能を担う入出力機器として、本機１０は、スキャナ部２１、画像処理部３１、エンジン部４１、操作パネル部５１、ＨＤＤ（ハードディスクドライブ）６１、ネットワークＩ／Ｆ（インタフェース）部６３、並びに、ファクシミリ通信部６５を備える。
【００１７】
主制御部１１は、スキャナ機能を実現するための動作制御を行うスキャナコントローラ１３、コピー機能を実現するための動作制御を行うコピーコントローラ１５、プリンタ機能を実現するための動作制御を行うプリンタコントローラ１７、並びに、ファクシミリ機能を実現するための動作制御を行うファクシミリコントローラ１９を内蔵し、本装置全体の動作を統括制御する。
【００１８】
スキャナ部２１は、図示しないスキャナを構成する画像照射ランプ２３及びＣＣＤ（電荷結合素子：Charge Coupled Device）センサ２５を含む。スキャナ部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００１９】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６５等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００２０】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６３を介してＬＡＮ（Local Area Network）によりクライアントＰＣ（パーソナルコンピュータ）等から送信された画像データ、ファクシミリ通信部６５を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００２１】
操作パネル部５１は、図１及び図２に示すように、タッチパネル部５３及び操作キー部５５を含む。操作パネル部５１は、ユーザがファクシミリ機能、スキャナ機能、プリンタ機能、コピー機能等に関する操作を行うために使用され、ユーザによる操作指令等を主制御部１１に与える。
【００２２】
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、宛先に係るｆａｘ番号や電子メールアドレス等の宛先識別情報を入力する際、又は、宛先に係る実行シナリオを登録する際などに用いられる。
【００２３】
操作キー部５５は、ユーザの操作入力を受付けるための複数の操作キーを備えており、例えば、ファクシミリ機能、コピー機能、プリンタ機能、スキャナ機能、などの諸機能のなかから、所要機能のキー入力操作をユーザが選択的に実行する際に用いられる。具体的には、例えば、ファクシミリ機能の利用時にユーザが送信宛先に係るＦａｘ番号を選択するためのテンキー入力操作を行う際などに用いられる。
【００２４】
ＨＤＤ（ハードディスクドライブ）６１は、スキャナ部２１によって読み取られた画像データ等を記憶する。ＨＤＤに記憶されている画像データは、画像形成装置、プログラム及び記録媒体内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２５】
ネットワークＩ／Ｆ部６３は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２６】
ファクシミリ通信部６５は、スキャナ部２１によって読み取られた送信対象となる原稿の画像データを公衆回線網７１を介して相手局７３へ送信したり、相手局７３から送信されてきた画像データを受信する機能を有し、符号化／復号化部６７、変復調部６８、及び網制御部６９を含んで構成されている。
【００２７】
符号化／復号化部６７は、送信原稿に係る画像データの圧縮及び符号化を行なうとともに、受信した画像データの伸長及び復号化を行なう機能を有している。
【００２８】
変復調部６８は、圧縮／符号化された画像データの音声信号への変調、並びに受信した音声信号の画像データへの復調を行なう機能を有している。
【００２９】
網制御部６９は、ＮＣＵ（Network Control Unit）に相当し、公衆回線網７１網にダイヤル信号を送出する等の網制御を行う機能を有している。
【００３０】
さて、ユーザニーズに沿う送信済みデータの処理を、煩雑な手間を要することなく適切な手順で遂行することを通じて、ユーザの利便性向上に寄与可能とするために、主制御部１１は、データ送信に係る各種の操作情報を取得する操作情報取得部７５と、送信済みデータの処理手順に係る実行シナリオが、複数の各宛先識別情報毎に関連付けて登録される実行シナリオ登録部７６と、所要の宛先へのデータ送信が遂行される毎に、当該宛先に係る宛先識別情報と、実行シナリオ登録部７６の登録内容とに基づいて、当該宛先に係る実行シナリオを検索する実行シナリオ検索部７７と、前記宛先へのデータ送信が終了した後に、当該送信済みデータの処理を、実行シナリオ検索部７７で抽出された当該宛先に係る実行シナリオに従う手順で遂行させる制御を行う実行シナリオ遂行制御部７９と、を備えて構成されている。なお、本発明実施例でいうデータ送信とは、ファクシミリ（インターネットファクシミリを含む）送信、ネットワーク送信（電子メール送信やＦＴＰデータ送信等）を包括的に含む概念である。また、データ送信対象となる原稿としては、スキャナ部２１でのスキャン動作経由で読み込まれる画像データ、又は文書ボックスに蓄積された画像データなどを例示することができる。さらに、宛先識別情報としては、例えば、ｆａｘ番号、電子メールアドレス、ｆｔｐアドレスなどを適宜採用することができる。
【００３１】
次に、本発明実施例に係るデジタル複合機（データ通信装置）の動作について、ある宛先に向けてファクシミリ送信を実行する例をあげて説明する。
【００３２】
［本発明実施例に係るデータ通信装置の動作］
図３は、本発明実施例に係るデジタル複合機（データ通信装置）の動作フローチャート図、図４は、ある宛先に係る実行シナリオを登録する際の手順例を示す説明図である。
【００３３】
図３に示すように、まず、ユーザが、所要の宛先への送信原稿を、スキャナ部２１における原稿自動送り装置（不図示）にセットした後に、同原稿のスキャン指示を操作パネル部５１を介して操作入力すると、主制御部１１は、原稿読み込みの開始信号をスキャナ部２１に送出する。これを受けてスキャナ部２１は、原稿画像の読み込みを開始する（ステップＳ１１）。こうして読み込まれた画像データは、主制御部１１を経由してスキャナ部２１から画像メモリ３７宛に送出されて、画像メモリ３７に一時的に記憶される。
【００３４】
次いで、ユーザが、所要の宛先に係る宛先識別情報（本実施例ではｆａｘ番号）を、操作キー部５５を用いて操作入力するか、又は、アドレス帳から選択入力することによって、データ送信に係る宛先が設定される（ステップＳ１２）。
【００３５】
次いで、所要の宛先を確認的に設定する旨の意思表示として、ユーザがスタートキー５７を押下操作すると（ステップＳ１３の”Ｙｅｓ”）、設定された宛先へのファクシミリ送信が開始される。
【００３６】
ステップＳ１３においてスタートキー５７の押下操作を受けて、実行シナリオ検索部７７は、当該宛先に係る宛先識別情報と、実行シナリオ登録部７６の登録内容とに基づいて、当該宛先に係る実行シナリオを検索する（ステップＳ１４）。なお、ステップＳ１４における検索は、例えば、宛先に係る宛先識別情報と、実行シナリオ登録部７６に登録されている宛先識別情報とを照合し、当該両者の一部又は全部が一致するか否かに基づいて、当該宛先に係る実行シナリオを検索するように構成すればよい。
【００３７】
次いで、主制御部１１は、ファクシミリ通信部６５のジョブ進捗状況を監視し、前記宛先に係るファクシミリ送信が終了したか否かを判定する（ステップＳ１５）。
【００３８】
ステップＳ１５における監視の結果、前記宛先に係るファクシミリ送信が終了した旨の判定が下されたとき、実行シナリオ遂行制御部７９は、当該送信済みデータの処理を、実行シナリオ検索部７７で抽出された当該宛先に係る実行シナリオに従う手順で遂行させる制御を行う（ステップＳ１６）。ステップＳ１６では、例えば、前記宛先に係る実行シナリオとして、送信済み画像データを印刷出力（以下、「控え印刷」という。）した後に、同画像データに所定の文書ファイル名（例えば、文書ファイルを表す「ｄｏｃ」の後に、送信日時情報を記述するなど）を付与して文書ボックスに保存（以下、「控え保存」という。）する旨が登録されていた場合には、送信済み画像データの控え印刷及び控え保存が順次遂行される。
【００３９】
ここで、従来技術に係る控え印刷や控え保存では、デフォルトではその設定が無効となっているのが通常であった。このため、データ送信後に控え印刷や控え保存などの処理を望むユーザは、データ送信の都度、その設定を有効にする操作が必要であった。かかる設定操作をデータ送信の度毎に行うのは煩雑であった。しかも、ユーザのミスでかかる設定操作を忘れてデータ送信を行った場合には、データ送信後に、原稿のコピーやボックス保存を別ジョブとして行わなければならず、煩に耐えない。
【００４０】
こうした課題を解決するために、鋭意研究活動を推進していたところ、本発明者は、控え印刷や控え保存などのデータ送信後処理を望む送信原稿というのは、送信宛先に依存して決まることが多いことに気づいた。
【００４１】
かかる契機を基にさらなる研究活動を推進した結果、送信済みデータの処理手順に係る実行シナリオを、複数の各送信宛先に関連付けて登録しておき、前記宛先へのデータ送信が終了した後に、当該宛先に係る実行シナリオを前記登録内容から呼び出して、当該送信済みデータの処理を、前記呼び出した当該宛先に係る実行シナリオに従う手順で遂行させるように構成すれば、初期の課題を解決できることを遂に見い出し、本発明を完成させた。
【００４２】
本発明実施例に係るデータ通信装置によれば、ユーザニーズに沿う送信済みデータの処理を、煩雑な手間を要することなく適切な手順で遂行することを通じて、ユーザの利便性向上に寄与することができる。
【００４３】
ところで、本発明実施例に係るデータ通信装置では、ある宛先に係る実行シナリオを、どのタイミングでどのように登録するか、が問題となる。
【００４４】
そうした観点から検討した結果、例えば図４に示すように、宛先の設定操作時に実行シナリオの登録を、問い合わせに導かれるように行うことが考えられる。
【００４５】
すなわち、宛先の設定操作時に（図４の画面Ｇ１１参照）、実行シナリオを登録するか否かに係る問い合わせ画面（図４の画面Ｇ１２参照）をタッチパネル部５３に表示する。
【００４６】
ユーザが登録の意思表示を行った場合には、登録候補となる実行シナリオ（例えば、”控え印刷”、”控え保存”、”転送”などの機能項目）の選択画面（図４の画面Ｇ１３参照）をタッチパネル部５３に表示する。
【００４７】
ユーザが所要の機能項目に係る設定登録操作を行った場合には、設定登録内容を確認するための、「Fax送信後に、”控え印刷”と”控え保存”を遂行します。よろしければスタートキーを押して下さい。送信を開始します。」などといった確認メッセージを含む登録内容確認画面（図４の画面Ｇ１４参照）をタッチパネル部５３に表示する。
【００４８】
そして、設定登録内容の承認が得られた（ユーザによるスタートキー５７の押下操作）場合に、データ送信処理を開始するとともに、このデータ送信後の当該送信済みデータの処理を、前記登録された実行シナリオに従う手順で遂行する。
【００４９】
かかる登録態様を採用すれば、データ送信時における宛先の設定操作に併せて、その宛先に係る実行シナリオを設定するといった一連の操作をもって当該宛先に係る実行シナリオの登録を行うことが可能となる結果として、データ送信時とは異なるタイミングで宛先に係る実行シナリオの登録を行う場合と比べて、ユーザの実行シナリオ登録に係る負担を大幅に軽減することができる。
【００５０】
［実施例の効果］
以上述べたように、本発明実施例に係るデータ通信装置では、実行シナリオ検索部７７は、所要の宛先へのデータ送信が遂行される毎に、当該宛先に係る宛先識別情報と、実行シナリオ登録部７６の登録内容とに基づいて、当該宛先に係る実行シナリオを検索する。実行シナリオ遂行制御部７９は、前記宛先へのデータ送信が終了した後に、当該送信済みデータの処理を、実行シナリオ検索部７７で抽出された当該宛先に係る実行シナリオに従う手順で遂行させる制御を行う。
【００５１】
従って、ユーザニーズに沿う送信済みデータの処理を、煩雑な手間を要することなく適切な手順で遂行することを通じて、ユーザの利便性向上に寄与可能なデータ通信装置を得ることができる。
【００５２】
また、実行シナリオ検索部７７の検索機能として、宛先に係る宛先識別情報と、実行シナリオ登録部７６に登録されている宛先識別情報とを照合し、当該両者の一部が一致するか否かに基づいて、当該宛先に係る実行シナリオを検索する構成を採用すれば、宛先識別情報に内包された属性情報の特性を活用した柔軟な検索を実現することができる。
【００５３】
具体的には、例えば、宛先識別情報の前方一致検索によって、当該宛先に係る実行シナリオを検索する構成を採用した場合には、宛先識別情報がｆａｘ番号である場合において、特定の地域（例えば、大阪であれば「０６」、名古屋であれば「０５２」、東京であれば「０３」が、数字列の先頭部分に記述されている。）に属する宛先に対して共通の実行シナリオを適用することができる。
【００５４】
さらに、例えば、宛先識別情報の後方一致検索によって、当該宛先に係る実行シナリオを検索する構成を採用した場合には、宛先識別情報が電子メールアドレスである場合において、特定の組織（例えば、ＡＢＣ株式会社であれば「abc．co．jp」が、文字列における”＠”の後段部分に記述されている。）に属する宛先に対して共通の実行シナリオを適用することができる。
【００５５】
しかも、実行シナリオ検索部７７の検索機能として、宛先に係る宛先識別情報と、実行シナリオ登録部７６に登録されている宛先識別情報とを照合し、当該両者の全部が一致するか否かに基づいて、当該宛先に係る実行シナリオを検索する構成を採用すれば、宛先識別情報に内包された属性情報の特性を活用した厳密な検索（宛先識別情報の照合が一対一でなされる。）を実現することができる。
【００５６】
そして、実行シナリオ登録部７６では、データ送信時における宛先識別情報の設定操作に併せて、当該宛先に係る実行シナリオが設定登録される、登録態様を採用すれば、一連の設定操作をもって当該宛先に係る実行シナリオの登録を行うことが可能となる結果として、データ送信時とは異なるタイミングで宛先に係る実行シナリオの登録を行う場合と比べて、ユーザの実行シナリオ登録に係る負担を大幅に軽減することができる。
【００５７】
［その他］
本発明は、上述した実施例に限られるものではなく、請求の範囲及び明細書全体から読み取れる発明の要旨、あるいは技術思想に反しない範囲で適宜変更可能であり、そのような変更を伴うデータ通信装置もまた、本発明における技術的範囲の射程に包含されるものである。
【００５８】
例えば、本発明実施例において、データ通信装置の一例として、データ通信機能を有するデジタル複合機を例示して説明したが、本発明はかかる実施例に限定されるものではなく、例えば、ファクシミリ装置、情報端末などの、宛先候補と通信条件とを設定後にデータ通信を行う態様の、あらゆる装置に適用可能であることはいうまでもない。
【符号の説明】
【００５９】
１１  主制御部
５１  操作パネル部
５３  タッチパネル部
６５  ファクシミリ通信部
７３  相手局
７５  操作情報取得部
７６  実行シナリオ登録部
７７  実行シナリオ検索部
７９  実行シナリオ遂行制御部
【図１】
2010199766.tif 000003
【図２】
2010199766.tif 000004
【図３】
2010199766.tif 000005
【図４】
2010199766.tif 000006